【手続補正書】
【提出日】平成15年8月21日(2003.8.21)
【手続補正１】
【補正対象書類名】明細書
【補正対象項目名】特許請求の範囲
【補正方法】変更
【補正の内容】
【特許請求の範囲】
【請求項１】
遊技者に遊技状態に関する情報を報知する表示装置を備えた遊技機において、
前記表示装置は、縦横に配列された多数の点表示器で構成され、該点表示器の表示態様により１種類又は複数種類の特定遊技状態に関する情報を表示する表示部と、前記特定遊技状態に対して前記点表示器の表示態様がそれぞれ異なるように前記表示部の表示を制御する制御手段とを有し、該制御手段は、前記情報として前記特定遊技状態が発生した事実、時期及び回数を前記表示部に表示させることを特徴とする遊技機。
【請求項２】
遊技者の操作により又は自動的に遊技開始指令を出す遊技開始手段と、
複数の図柄を可変表示する可変表示部と、
縦横に配列された多数の点表示器で構成され、該点表示器の表示態様により特定の遊技状態に関する情報を表示する表示手段と、
前記遊技開始手段からの指令に応じて前記可変表示部の可変表示を開始させると共に該可変表示が停止したときの表示内容を決定し、その決定に従って該可変表示を制御する一方、前記点表示器の表示を制御する制御手段とを備え、
前記特定の遊技状態は１種類又は複数種類存在し、各状態に対して前記表示手段の表示態様がそれぞれ異なるように定められ、前記制御手段は、前記情報として前記特定の遊技状態が発生した事実、時期及び回数を前記表示手段に表示させることを特徴とする遊技機。
【請求項３】
請求項２の遊技機において、前記特定の遊技状態は、前記可変表示が停止したときの表示内容が予め定められた入賞を表示する態様になった場合の、当該入賞の種類に応じて予め定められた配当率によって分けられる入賞状態と、前記可変表示を停止したときの表示内容が前記入賞を表示する態様にならなかった場合の外れ状態とに区別されていることを特徴とする遊技機。
【請求項４】
請求項３の遊技機において、前記外れ状態は、前記複数の可変表示のうち１つを除いて停止したとき、残り１つの可変表示が特定の表示で停止すれば入賞になるが、当該特定の表示で停止しないこととされた特定の外れ状態と、それ以外の一般の外れ状態とに区別されることを特徴とする遊技機。
【請求項５】
請求項１乃至４のいずれか記載の遊技機において、前記表示部又は前記表示手段は、前記点表示器の縦方向あるいは横方向に、所定回数の遊技開始に対して前記特定の遊技状態が発生した回数を表示し、横方向あるいは縦方向には、前記特定の遊技状態が発生した順序を表示することを特徴とする遊技機。
【請求項６】
請求項４又は５の遊技機において、前記表示部又は前記表示手段は、前記点表示器の縦方向あるいは横方向に、所定回数の遊技開始に対して前記特定の外れ状態が発生した回数を表示し、横方向あるいは縦方向には、前記特定の外れ状態が発生した順序を表示することを特徴とする遊技機。
【請求項７】
請求項１乃至６のいずれか記載の遊技機において、前記制御手段は、前記特定遊技状態の際に、対応する表示態様を前記表示部又は前記表示手段に表示させることを特徴とする遊技機。
【請求項８】
請求項１乃至７のいずれか記載の遊技機において、前記点表示器の表示態様は、前記点表示器の点灯時の色の違いによって区別されることを特徴とする遊技機。
【請求項９】
請求項１乃至７のいずれか記載の遊技機において、前記点表示器の表示態様は、前記点表示器の点滅周期の違いによって区別されることを特徴とする遊技機。
【請求項１０】
請求項１乃至７のいずれか記載の遊技機において、前記点表示器の表示態様は、前記点表示器の点灯時の光の強度の違いによって区別されることを特徴とする遊技機。
【請求項１１】
請求項１乃至１０のいずれか記載の遊技機において、前記表示部又は前記表示手段は、前記点表示器の点灯する数によって前記回数を表示することを特徴とする遊技機。
【請求項１２】
遊技者に遊技機の遊技状態に関する情報を報知するための遊技機用表示装置において、
縦横に配列された多数の点表示器で構成され、該点表示器の表示態様により１種類又は複数種類の特定遊技状態に関する情報を表示する表示部と、前記特定遊技状態に対して前記点表示器の表示態様がそれぞれ異なるように前記表示部の表示を制御する制御手段とを備え、該制御手段は、前記情報として前記特定遊技状態が発生した事実、時期及び回数を前記表示部に表示させることを特徴とする遊技機用表示装置。
【請求項１３】
前記制御手段は、表示制御プログラムを格納した記憶部と、前記遊技機の制御部からの信号に従って前記表示制御プログラムを実行する中央処理部とで構成され、前記表示部を設けたケース内に収納されていることを特徴とする請求項１２の遊技機用表示装置。
【請求項１４】
前記制御手段は前記遊技機の制御部を構成するマイクロコンピュータである請求項１３の遊技機用表示装置。
【手続補正２】
【補正対象書類名】明細書
【補正対象項目名】００１７
【補正方法】変更
【補正の内容】
【００１７】
【発明の実施の形態】
本発明の遊技機において、表示部又は表示手段の表示態様は、例えば、点表示器の点灯時の色の違い、点滅周期の違い、点灯時の光の強度の違いによって区別できる。


【手続補正３】
【補正対象書類名】明細書
【補正対象項目名】００１８
【補正方法】変更
【補正の内容】
【００１８】
表示部又は表示手段は、点表示器の点灯する数によって上記特定の遊技状態の発生した回数を表示することができる。


【手続補正４】
【補正対象書類名】明細書
【補正対象項目名】００１９
【補正方法】変更
【補正の内容】
【００１９】
また、表示部又は表示手段は、点表示器の縦方向あるいは横方向に、所定回数の遊技開始に対して特定の遊技状態が発生した回数を表示し、横方向あるいは縦方向に、特定の遊技状態が発生した順序を表示することができる。


【手続補正５】
【補正対象書類名】明細書
【補正対象項目名】００２１
【補正方法】変更
【補正の内容】
【００２１】
更に、外れ状態は、複数の可変表示のうち１つを除いて停止したとき、残り１つの可変表示が特定の表示で停止すれば入賞になるが、当該特定の表示で停止しないこととされた特定の外れ状態と、それ以外の一般の外れ状態とに区別できる。この場合、表示部又は表示手段は、点表示器の縦方向あるいは横方向に、所定回数の遊技開始に対して特定の外れ状態が発生した回数を表示し、横方向あるいは縦方向には、特定の外れ状態が発生した順序を表示することができる。
【手続補正６】
【補正対象書類名】明細書
【補正対象項目名】００２２
【補正方法】変更
【補正の内容】
【００２２】
本発明の遊技機において、制御手段は、特定遊技状態の際に、対応する表示態様を表示部又は表示手段に表示させることができる。


【手続補正７】
【補正対象書類名】明細書
【補正対象項目名】００２３
【補正方法】変更
【補正の内容】
【００２３】
本発明の表示装置において、制御手段は、表示制御プログラムを格納した記憶部と、遊技機の制御部からの信号に従って表示制御プログラムを実行する中央処理部とで構成し、表示部を設けたケース内に収納する。或いは、制御手段は、遊技機の制御部を構成するマイクロコンピュータ（以下、マイコンという）であってもよい。


【手続補正８】
【補正対象書類名】明細書
【補正対象項目名】００２４
【補正方法】変更
【補正の内容】
【００２４】
【実施例】
まず、第１の実施例として、本発明をスロットマシンに適用した場合について説明する。図１において、複数のスロットマシン２が横に配列されて１組の「島」と称するグループを構成している。スロットマシン２には、可変表示部１１、遊技開始手段としてのスタートレバー１２、及び可変表示部１１の可変表示を停止するためのストップボタン１３が設けられている。


【手続補正９】
【補正対象書類名】明細書
【補正対象項目名】００４３
【補正方法】変更
【補正の内容】
【００４３】
パチンコ機が非遊技状態のときには、前述のスロットマシンの場合と同様、図５のようなデモ表示がスクロールして流される。


【手続補正１０】
【補正対象書類名】明細書
【補正対象項目名】００４７
【補正方法】変更
【補正の内容】
【００４７】
非遊技状態と遊技状態のどちらにおいても、遊技者がデータボタン４１を押すと、過去３日間の大当たり履歴表示、現在までの「回転スタート」、「リーチ」、「大当り」の各回数を示すスランプグラフを順に表示する。具体的には、
“データチェック  ゴー！！    １日マエ  大当＝２０回  ２日マエ  大当＝１８回
３日マエ  大当＝１８回    スタート＝３５８回  リーチ＝４９回    ケイカグラフ  ゴー！！    ［図８に示すスランプグラフ］    データチェック  オワリ  サー！！  ガンバッテネ！！”のようなメッセージがスクロール表示される。ここで、スランプグラフは、図８（Ａ）に示す表示装置３において中央下部の表示部５２に表示される、図８（Ｂ）に示すようなグラフであり、１０〜２０秒停止して表示される。